(57)【要約】シグナリング情報を送信するための技術が説明される。複数のシグナリングチャネルが、シグナリング情報を送信するために利用可能である可能性がある。異なるシグナリング情報、異なるシグナリングパラメータ値、またはシグナリングパラメータ値の異なる解釈が異なるシグナリングチャネルに関連付けられることができ、残りのシグナリング情報の実際の伝送のために使用されることができる選択されたこれらのシグナリングチャネルによって搬送されることができる。送信機が、第１のシグナリング情報に基づいて複数のシグナリングチャネルの中から少なくとも１つのシグナリングチャネルを選択し、（１つまたは複数の）選択されたシグナリングチャネル上で第２のシグナリング情報を送信して第１のおよび第２のシグナリング情報を搬送する。送信機は、第１のおよび第２のシグナリング情報に従って少なくとも１つのデータチャネル上で少なくとも１つのデータストリームを送信する。受信機は、（１つまたは複数の）選択されたシグナリングチャネルに基づいて第１のシグナリング情報を取得し、（１つまたは複数の）選択されたシグナリングチャネルを復号化して第２のシグナリング情報を取得する。受信機は、第１のおよび第２のシグナリング情報に従って（１つまたは複数の）データチャネルを処理して、（１つまたは複数の）データストリームを復元する。
2009528000.tif 000002
【特許請求の範囲】
【請求項１】
下記を備える装置：
第１のシグナリング情報に基づいて複数のシグナリングチャネルの中から少なくとも１つのシグナリングチャネルを選択し、前記第１および前記第２のシグナリング情報を搬送するために前記少なくとも１つの選択されたシグナリングチャネル上で第２のシグナリング情報を送信するためのプロセッサ；および、
前記プロセッサに結合されたメモリ。
【請求項２】
請求項１に記載の装置、ここにおいて、
前記プロセッサは、第３のシグナリング情報によってイネーブルされるときに前記第１のシグナリング情報に基づいて前記複数のシグナリングチャネルの中から前記少なくとも１つのシグナリングチャネルを選択し、前記第１、前記第２、および前記第３のシグナリング情報を搬送するために、前記少なくとも１つの選択されたシグナリングチャネル上で前記第２のシグナリング情報および前記第３のシグナリング情報を送信する。
【請求項３】
請求項２に記載の装置、ここにおいて、
前記プロセッサは、前記第３のシグナリング情報が値の集合の中にあるときには前記第１のシグナリング情報に基づいて前記少なくとも１つのシグナリングチャネルを選択し、前記第３のシグナリング情報が前記値の集合の中にないときには前記第１のシグナリング情報を考慮することなく前記第１のシグナリングチャネルを選択する。
【請求項４】
請求項２に記載の装置、ここにおいて、
前記第２のシグナリング情報は、少なくとも１つのチャネル化符号に関する情報を備え、前記第３のシグナリング情報は、少なくとも１つの変調スキームに関する情報を備える。
【請求項５】
請求項１に記載の装置、ここにおいて、
前記プロセッサは、前記第１および前記第２のシグナリング情報に従って少なくとも１つのデータチャネル上で少なくとも１つのデータストリームを送信する。
【請求項６】
請求項１に記載の装置、ここにおいて、
前記プロセッサは、前記複数のシグナリングチャネルの中から少なくとも２つのシグナリングチャネルを選択し、前記少なくとも２つの選択されたシグナリングチャネル上で少なくとも２つのデータストリームに関する少なくとも２つのシグナリングメッセージを送信し、ここで、前記第１のシグナリング情報は、どのシグナリングメッセージが各データストリームに適用可能であるのかを搬送する。
【請求項７】
請求項１に記載の装置、ここにおいて、
前記プロセッサは、前記複数のシグナリングチャネルの中から少なくとも２つのシグナリングチャネルを選択し、少なくとも２つのデータストリームに関する少なくとも２つのシグナリングメッセージを前記少なくとも２つの選択されたシグナリングチャネルにマッピングし、前記少なくとも２つのシグナリングチャネル上で前記少なくとも２つのシグナリングメッセージを送信し、ここで、前記第１のシグナリング情報は、どのシグナリングメッセージが各データストリームに適用可能であるのかを搬送する。
【請求項８】
請求項１に記載の装置、ここにおいて、
前記第１のシグナリング情報は、シグナリングチャネルとデータストリームとの間の所定のマッピングに基づき、ｎ番目のシグナリングチャネルがｎ番目のデータストリームに関するシグナリング情報を搬送する。
【請求項９】
前記第１のシグナリング情報は、データ伝送のために使用される少なくとも１つのチャネル化符号に関する情報を備える請求項１に記載の装置。
【請求項１０】
請求項９に記載の装置、ここにおいて、
前記複数のシグナリングチャネルが、チャネル化符号の各グループ毎に１つのシグナリングチャネルずつ、チャネル化符号の複数のグループに関連付けられ、
さらにここにおいて、前記プロセッサは、データ伝送のために使用される前記少なくとも１つのチャネル化符号を含むグループに基づいて前記複数のシグナリングチャネルの中からシグナリングチャネルを選択する。
【請求項１１】
前記第１のシグナリング情報は、データ伝送のために使用される少なくとも１つの変調スキームに関する情報を備える請求項１に記載の装置。
【請求項１２】
請求項１１に記載の装置、ここにおいて、
前記複数のシグナリングチャネルが、変調スキームの各組合せ毎に１つのシグナリングチャネルずつ、複数のデータストリームに関する変調スキームの複数の組合せに関連付けられる。
【請求項１３】
前記第１のシグナリング情報は、データ伝送のために使用される少なくとも１つの転送転送ブロックサイズに関する情報を備える請求項１に記載の装置。
【請求項１４】
前記第１のシグナリング情報は、データ伝送のために使用されるプリコーディング重みに関する情報を備える請求項１に記載の装置。
【請求項１５】
前記第１のシグナリング情報は、データ伝送のために使用される少なくとも１つの送信アンテナに関する情報を備える請求項１に記載の装置。
【請求項１６】
前記第１のシグナリング情報は、データ受信のために使用する少なくとも１つの受信アンテナに関する情報を備える請求項１に記載の装置。
【請求項１７】
前記第１のシグナリング情報は、ＨＡＲＱのプロセスＩＤ情報を備える請求項１に記載の装置。
【請求項１８】
前記第１のシグナリング情報は、冗長性バージョンの情報を備える請求項１に記載の装置。
【請求項１９】
前記第１のシグナリング情報は、データブロックの新しい送信または再送の指示を備える請求項１に記載の装置。
【請求項２０】
前記第１のシグナリング情報は、スケジューリング情報を備える請求項１に記載の装置。
【請求項２１】
前記プロセッサは、異なるシグナリング情報を前記複数のシグナリングチャネルに関連付けるためにＵＥと通信する請求項１に記載の装置。
【請求項２２】
前記プロセッサは、複数のシグナリングパラメータ値を前記複数のシグナリングチャネルに関連付けるためにＵＥと通信する請求項１に記載の装置。
【請求項２３】
前記プロセッサは、シグナリングパラメータ値の複数の解釈を前記複数のシグナリングチャネルに関連付けるためにＵＥと通信する請求項１に記載の装置。
【請求項２４】
前記複数のシグナリングチャネルは、シグナリング情報を送信するために使用される複数のチャネル化符号に対応する請求項１に記載の装置。
【請求項２５】
前記複数のシグナリングチャネルは、シグナリング情報を送信するために使用される複数のタイムスロットに対応する請求項１に記載の装置。
【請求項２６】
前記複数のシグナリングチャネルは、シグナリング情報を送信するために使用されるサブキャリアの複数の集合に対応する請求項１に記載の装置。
【請求項２７】
前記複数のシグナリングチャネルは、シグナリング情報を送信するために使用される複数の所定の電力設定に対応する請求項１に記載の装置。
【請求項２８】
前記複数のシグナリングチャネルは、複数のＨＳ−ＳＣＣＨに対応する請求項１に記載の装置。
【請求項２９】
下記を備える方法：
第１のシグナリング情報に基づいて複数のシグナリングチャネルの中から少なくとも１つのシグナリングチャネルを選択すること；および、
前記少なくとも１つの選択されたシグナリングチャネル上で第２のシグナリング情報を送信して前記第１のシグナリング情報および前記第２のシグナリング情報を搬送すること。
【請求項３０】
さらに下記を備える請求項２９に記載の方法：
前記第１および前記第２のシグナリング情報に従って少なくとも１つのデータチャネル上で少なくとも１つのデータストリームを送信すること。
【請求項３１】
請求項２９に記載の方法、ここにおいて、
前記少なくとも１つのシグナリングチャネルを前記選択することは、下記を備える：
前記複数のシグナリングチャネルの中から少なくとも２つのシグナリングチャネルを選択すること；および、
少なくとも２つのデータストリームに関する少なくとも２つのシグナリングメッセージを前記少なくとも２つのシグナリングチャネルにマッピングすること、
ここで、前記第２のシグナリング情報を送信することは、前記少なくとも２つのシグナリングチャネル上で前記少なくとも２つのシグナリングメッセージを送信することを備え、
ここで、前記第１のシグナリング情報はどのシグナリングメッセージが各データストリームに適用可能であるのかを搬送する。
【請求項３２】
請求項２９に記載の方法、ここにおいて、
前記複数のシグナリングチャネルが、チャネル化符号の各グループ毎に１つのシグナリングチャネルずつ、チャネル化符号の複数のグループに関連付けられ、前記少なくとも１つのシグナリングチャネルを選択することは下記を備える：
データ伝送のために使用される少なくとも１つのチャネル化符号を含むグループに基づいて前記複数のシグナリングチャネルの中からシグナリングチャネルを選択すること。
【請求項３３】
さらに下記を備える請求項２９に記載の方法：
異なるシグナリング情報または複数のシグナリングパラメータ値を前記複数のシグナリングチャネルに関連付けるためにＵＥと通信すること。
【請求項３４】
下記を備える装置：
第１のシグナリング情報に基づいて複数のシグナリングチャネルの中から少なくとも１つのシグナリングチャネルを選択するための手段；および、
前記第１および前記第２のシグナリング情報を搬送するために、前記少なくとも１つの選択されたシグナリングチャネル上で第２のシグナリング情報を送信するための手段。
【請求項３５】
さらに下記を備える請求項３４に記載の装置：
前記第１および前記第２のシグナリング情報に従って少なくとも１つのデータチャネル上で少なくとも１つのデータストリームを送信するための手段。
【請求項３６】
請求項３４に記載の装置、ここにおいて、
前記複数のシグナリングチャネルが、チャネル化符号の各グループ毎に１つのシグナリングチャネルずつ、チャネル化符号の複数のグループに関連付けられ、前記少なくとも１つのシグナリングチャネルを選択するための前記手段は下記を備える：
データ伝送のために使用される少なくとも１つのチャネル化符号を含むグループに基づいて前記複数のシグナリングチャネルの中からシグナリングチャネルを選択するための手段。
【請求項３７】
下記を実行するための命令を記憶するためのプロセッサ可読媒体：
第１のシグナリング情報に基づいて複数のシグナリングチャネルの中から少なくとも１つのシグナリングチャネルを選択すること；および、
前記第１および前記第２のシグナリング情報を搬送するために、前記少なくとも１つの選択されたシグナリングチャネル上で第２のシグナリング情報を送信すること。
【請求項３８】
下記を実行するための命令をさらに格納する請求項３７に記載のプロセッサ可読媒体：前記第１および前記第２のシグナリング情報に従って少なくとも１つのデータチャネル上で少なくとも１つのデータストリームを送信すること。
【請求項３９】
下記を備える装置：
複数のシグナリングチャネルの中から少なくとも１つのシグナリングチャネルを受信し、前記少なくとも１つのシグナリングチャネルに基づいて第１のシグナリング情報を取得し、前記少なくとも１つのシグナリングチャネル上で送信された第２のシグナリング情報を取得するために前記少なくとも１つのシグナリングチャネルを復号化するためのプロセッサ；および、
前記プロセッサに結合されたメモリ。
【請求項４０】
請求項３９に記載の装置、ここにおいて、
前記プロセッサは、少なくとも１つのデータストリームを復元するために、前記第１および前記第２のシグナリング情報に従って少なくとも１つのデータチャネルを処理する。
【請求項４１】
請求項１に記載の装置、ここにおいて、
前記プロセッサは、異なるシグナリング情報または異なるシグナリングパラメータ値を前記複数のシグナリングチャネルに関連付けるためにノードＢと通信する。
【請求項４２】
下記を備える方法：
複数のシグナリングチャネルの中から少なくとも１つのシグナリングチャネルを受信すること；
前記少なくとも１つのシグナリングチャネルに基づいて第１のシグナリング情報を取得すること；および、
前記少なくとも１つのシグナリングチャネル上で送信された第２のシグナリング情報を取得するために、前記少なくとも１つのシグナリングチャネルを復号化すること。
【請求項４３】
さらに下記を備える請求項４２に記載の方法：
少なくとも１つのデータストリームを復元するために、前記第１および前記第２のシグナリング情報に従って少なくとも１つのデータチャネルを処理すること。
【請求項４４】
さらに下記を備える請求項４２に記載の方法：
異なるシグナリング情報または異なるシグナリングパラメータ値を前記複数のシグナリングチャネルに関連付けるためにノードＢと通信すること。
【請求項４５】
下記を備える装置：
複数のシグナリングチャネルの中から少なくとも１つのシグナリングチャネルを受信するための手段；
前記少なくとも１つのシグナリングチャネルに基づいて第１のシグナリング情報を取得するための手段；および、
前記少なくとも１つのシグナリングチャネル上で送信された第２のシグナリング情報を取得するために、前記少なくとも１つのシグナリングチャネルを復号化するための手段。
【請求項４６】
さらに下記を備える請求項４５に記載の装置：
少なくとも１つのデータストリームを復元するために、前記第１および前記第２のシグナリング情報に従って少なくとも１つのデータチャネルを処理するための手段。
【請求項４７】
下記を備える装置：
所定のマッピングに基づいて少なくとも１つのデータストリームに関する少なくとも１つのシグナリングメッセージを少なくとも１つのシグナリングチャネルにマッピングし、前記少なくとも１つのシグナリングチャネルのうちの異なるシグナリングチャネルで前記少なくとも１つのシグナリングメッセージのそれぞれを送信するためのプロセッサ；および、
前記プロセッサに結合されたメモリ。
【請求項４８】
請求項４７に記載の装置、ここにおいて、
前記所定のマッピングは、各シグナリングメッセージに対して使用された前記シグナリングチャネルに基づいて前記少なくとも１つのシグナリングメッセージのうちのどれが前記少なくとも１つのデータストリームのそれぞれに適用可能であるのかを受信機が判定することを可能にする。
【請求項４９】
請求項４７に記載の装置、ここにおいて、
前記プロセッサは、シグナリングメッセージの送信に利用可能な複数のシグナリングチャネルの中から前記少なくとも１つのシグナリングチャネルを選択し、前記複数のシグナリングチャネルに関する第１の所定の順位と前記少なくとも１つのデータストリームに関する第２の所定の順位とに基づいて前記少なくとも１つのシグナリングメッセージを前記少なくとも１つのシグナリングチャネルにマッピングする。
【発明の詳細な説明】
【技術分野】
【０００１】
本開示は概して通信に関し、より具体的には無線通信システムにおいてシグナリング情報を送信するための技術に関する。
【背景技術】
【０００２】
本特許出願は、本特許出願の譲受人に譲渡され、参照により本明細書に明示的に援用される２００６年２月２２日に出願された「Ｓｉｇｎａｌｉｎｇ  Ｔｒａｎｓｐｏｒｔ  Ｆｏｒｍａｔ  ａｎｄ  Ｒｅｓｏｕｒｃｅ  Ａｌｌｏｃａｔｉｏｎ  ｐｅｒ  Ｄａｔａ  Ｓｔｒｅａｍ  ｉｎ  ＭＩＭＯ  Ｓｙｓｔｅｍｓ」と題された米国仮出願第６０／７７５，８９８号の優先権を主張するものである。
【０００３】
無線多元接続通信システムは、ダウンリンクおよびアップリンク上で複数の端末に関する通信をサポートすることができる。ダウンリンク（または順方向リンク）は基地局から端末への通信リンクを指し、アップリンク（または逆方向リンク）は端末から基地局への通信リンクを指す。複数の端末が同時に、ダウンリンク上でデータおよびシグナリングを受信すること、および／または、アップリンク上でデータおよびシグナリングを送信することができる。これは、伝送を互いに直交するように各リンク上に多重化すること、および／または、所望の受信信号品質を達成するように各伝送の送信電力を制御することによって達成されることができる。
【０００４】
通常、多元接続システムは、ダウンリンク上でシグナリング情報を送信するための一部のシステムリソースを端末に割り当てる。シグナリング情報は、リソースの割り当て、符号化および変調スキームなどの、データ伝送をサポートするために使用される種々のパラメータに関する可能性がある。送信するシグナリング情報の量は、システムリソースが割り当てられるやり方、送信するパラメータの数、パラメータを送信する際の望まれる柔軟性などの様々な要因によって決まる可能性がある。シグナリングメッセージが全ての定義されたパラメータに対して生成され、シグナリング情報を送信するために割り当てられたシステムリソースを使用して送信されることができる。
【０００５】
シグナリング情報はオーバヘッドを表すので、この情報をできるだけ効率的に送信することが望ましい。できるだけ少ないシステムリソースを使用して所与の量のシグナリング情報を送信すること、または所与の量のシステムリソースに対してより多くのシグナリング情報を送信することが望ましい。
【特許文献１】米国仮出願第６０／７７５，８９８号
【発明の開示】
【発明の概要】
【０００６】
効率的にシグナリング情報を送信するための技術が本明細書において説明される。複数のシグナリングチャネルが、シグナリング情報を送信するために利用可能である可能性がある。これらのシグナリングチャネルは、異なるチャネル化符号（channelization codes）、異なるタイムスロット、サブキャリアの異なる集合などに対応する可能性がある。異なるシグナリング情報、異なるシグナリングパラメータ値、またはシグナリングパラメータ値の異なる解釈が、異なるシグナリングチャネルに関連付けられることができる。そのとき、一部のシグナリング情報は、複数のシグナリングチャネルの中からの１つまたは複数のシグナリングチャネルの選択を介して搬送されることができる。残りのシグナリング情報は、（１つまたは複数の）選択されたシグナリングチャネル上で送信されることができる。
【０００７】
一態様によれば、第１のシグナリング情報に基づいて複数のシグナリングチャネルの中から少なくとも１つのシグナリングチャネルを選択し、少なくとも１つの選択されたシグナリングチャネル上で第２のシグナリング情報を送信して第１のおよび第２のシグナリング情報を搬送する装置が説明される。該装置は、第１のおよび第２のシグナリング情報に従って少なくとも１つのデータチャネル上で少なくとも１つのデータストリームを送信することができる。第１のおよび第２のシグナリング情報は、以下で説明されるように様々な種類のシグナリング情報を備えることができる。
【０００８】
別の態様によれば、複数のシグナリングチャネルの中から少なくとも１つのシグナリングチャネルを受信し、少なくとも１つのシグナリングチャネルに基づいて第１のシグナリング情報を取得し、少なくとも１つのシグナリングチャネルを復号化して第２のシグナリング情報を取得する装置が説明される。該装置は、第１のおよび第２のシグナリング情報に従って少なくとも１つのデータチャネルをさらに処理して、少なくとも１つのデータストリームを復元することができる。
【０００９】
本開示の様々な態様および特徴が、以下でさらに詳細に説明される。
【詳細な説明】
【００１０】
図１は、複数のノードＢ  １１０およびＵＥ１２０を備える無線通信システム１００を示す。概して、ノードＢは、ＵＥと通信する固定局であり、拡張ノードＢ（enhanced Node B）、基地局、アクセスポイントなどとも呼ばれる可能性がある。各ノードＢ  １１０は、特定の地理的領域に通信可能範囲を提供し、カバーエリア内に位置するＵＥのための通信をサポートする。システムコントローラ１３０はノードＢ  １１０に結合し、これらのノードＢの調整および制御を行う。システムコントローラ１３０は、単一のネットワークエンティティであるか、またはネットワークエンティティの集合であってよい。
【００１１】
ユーザ端末（ＵＥ）１２０はシステム全体に分散されることができ、各ＵＥは固定的であるか、または移動可能であることができる。ＵＥは、移動局、端末、アクセス端末、加入者ユニット、局などとも呼ばれる可能性がある。ＵＥは、セルラ電話、携帯情報端末（ＰＤＡ）、無線デバイス、ハンドヘルドデバイス、無線モデム、ラップトップコンピュータなどであってよい。
【００１２】
図２は、図１のノードＢおよびＵＥのうちの１つであってよいノードＢ  １１０ｘおよびＵＥ１２０ｘの設計のブロック図を示す。ノードＢ  １１０ｘは、図２に示されるように１つの送信アンテナを備えることができる。ＵＥ  １２０ｘは、（図２に示されるように）１つの受信アンテナを備えることができるか、または（図２に示されていない）複数の受信アンテナを備えることができる。簡単にするために、１つの送信アンテナから１つの受信アンテナへのダウンリンク上の伝送のための処理ユニットのみが図２に示される。
【００１３】
ノードＢ  １１０ｘにおいて、ＴＸデータプロセッサ２２０は、ダウンリンクの伝送のためにスケジューリングされた全てのＵＥに関するデータを受信し、以下で説明されるように各ＵＥに関するデータを処理し、データチップを提供する。ＴＸシグナリングプロセッサ２３０は、全てのＵＥに関するシグナリング情報を受信し、以下で説明されるように各ＵＥに関するシグナリング情報を処理し、シグナリングチップを提供する。コンバイナ２３２は、プロセッサ２２０からのデータチップと、プロセッサ２３０からのシグナリングチップとを合成し、出力チップを提供する。合成は、データおよびシグナリングに対して使用される多重化スキーム、例えば、符号分割多重（ＣＤＭ）、時分割多重（ＴＤＭ）、周波数分割多重（ＦＤＭ）に依存する可能性がある。プロセッサ２２０および／またはコンバイナ２３２は、パイロットをデータチップおよびシグナリングチップと多重化することもできる。送信機（ＴＭＴＲ）２３４は、出力チップを処理（例えば、アナログ変換、増幅、フィルタリング、および周波数アップコンバート）し、アンテナ２３６を介して送信されるダウンリンク信号を生成する。
【００１４】
ＵＥ１２０ｘにおいて、アンテナ２５２（または場合によっては複数のアンテナ）は、ノードＢ  １１０ｘからダウンリンク信号を受信し、受信信号を受信機（ＲＣＶＲ）２５４に提供する。受信機２５４は、受信信号を処理（例えば、フィルタリング、増幅、周波数ダウンコンバート、およびディジタル化）し、サンプルを提供する。検波器２５６は、サンプルを処理して受信シンボルを取得し、受信データシンボルを受信（ＲＸ）データプロセッサ２６０に提供し、受信シグナリングシンボルをＲＸシグナリングプロセッサ２７０に提供する。検出器２５６は、等化器、Ｒａｋｅ受信機などである可能性がある。ＲＸデータプロセッサ２６０は、ＴＸデータプロセッサ２２０による処理に対して相補的なやり方で受信データシンボルを処理し、ＵＥ１２０ｘに関する復号化データを提供する。ＲＸシグナリングプロセッサ２７０は、ＴＸシグナリングプロセッサ２３０による処理に対して相補的なやり方で受信シグナリングシンボルを処理し、ＵＥ１２０ｘに関するシグナリング情報を提供する。
【００１５】
コントローラ２４０および２８０は、それぞれノードＢ  １１０ｘおよびＵＥ１２０ｘにおける動作を指令する。メモリ２４２および２８２は、それぞれノードＢ  １１０ｘおよびＵＥ１２０ｘのためのプログラムコードおよびデータを記憶する。
【００１６】
図３は、やはり図１のノードＢおよびＵＥのうちの１つであってよいノードＢ  １１０ｙおよびＵＥ１２０ｙの設計のブロック図を示す。ノードＢ  １１０ｙは、ダウンリンク上のデータ送信およびアップリンク上のデータ受信のために使用されることができる複数（Ｔ個）のアンテナ３３６ａ〜３３６ｔを備える。ＵＥ  １２０ｙは、アップリンク上のデータ送信およびダウンリンク上のデータ受信のために使用されることができる複数（Ｒ個）のアンテナ３５２ａ〜３５２ｒを備える。各アンテナは、物理的なアンテナ、アンテナアレイおよび適切なビーム形成デバイスを備える仮想アンテナ、固定重み付け回路（fixed weighting network）を備えたアンテナアレイなどであってよい。多入力多出力（ＭＩＭＯ）伝送が、ノードＢ  １１０ｙのＴ個の送信アンテナからＵＥ１２０ｙのＲ個の受信アンテナに送信されることができる。
【００１７】
ノードＢ  １１０ｙにおいて、ＴＸデータおよび空間プロセッサ（TX data and spatial processor）３２０は、全てのスケジューリングされたＵＥに関するデータを受信し、各ＵＥに関するデータを処理し、空間マッピング（spatial mapping）を実行し、データチップをＴ個のコンバイナ３３２ａ〜３３２ｔに提供する。ＴＸシグナリングプロセッサ３３０は、全てのＵＥに関するシグナリング情報を受信し、各ＵＥに関するシグナリング情報を処理し、シグナリングチップをコンバイナ３３２ａ〜３３２ｔに提供する。各コンバイナ３３２は、プロセッサ３２０からのデータチップと、プロセッサ３３０からのシグナリングチップとを合成し、出力チップを関連する送信機３３４に提供する。各送信機３３４は、当該送信機３３４の出力チップを処理し、ダウンリンク信号を生成する。Ｔ個の送信機３３４ａ〜３３４ｔからのＴ個のダウンリンク信号は、Ｔ個のアンテナ３３６ａ〜３３６ｔを介してそれぞれ送信される。
【００１８】
ＵＥ１２０ｙにおいて、Ｒ個のアンテナ３５２ａ〜３５２ｔは、ノードＢ  １１０ｙからのダウンリンク信号を受信し、Ｒ個の受信信号をＲ個の受信機３５４ａ〜３５４ｒにそれぞれ提供する。各受信機３５４は、当該受信機３５４の受信信号を処理し、サンプルを提供する。検出器３５６は、Ｒ個全ての受信機３５４からのサンプルを処理して受信シンボルを取得し、受信データシンボルをＲＸデータプロセッサ３６０に提供し、受信シグナリングシンボルをＲＸシグナリングプロセッサ３７０に提供する。検出器３５６は、等化器、ＭＩＭＯ検出器などである可能性がある。ＲＸデータプロセッサ３６０は、受信データシンボルを処理し、ＵＥ１２０ｙに関する復号化されたデータを提供する。ＲＸシグナリングプロセッサ２７０は、受信シグナリングシンボルを処理し、ＵＥ１２０ｙに関するシグナリング情報を提供する。
【００１９】
コントローラ３４０および３８０は、それぞれノードＢ  １１０ｙおよびＵＥ１２０ｙにおける動作を指令する。メモリ３４２および３８２は、それぞれノードＢ  １１０ｙおよびＵＥ１２０ｙのためのプログラムコードおよびデータを記憶する。
【００２０】
本明細書において説明される技術は、符号分割多元接続（ＣＤＭＡ）システム、時分割多元接続（ＴＤＭＡ）システム、周波数分割多元接続（ＦＤＭＡ）システム、および直交ＦＤＭＡ（ＯＦＤＭＡ）システム、シングルキャリアＦＤＭＡ（ＳＣ−ＦＤＭＡ）システムなどの様々な無線通信システムに対して使用されることができる。用語「システム」および「ネットワーク」は、交換可能に使用されることが多い。ＣＤＭＡシステムは、ｃｄｍａ２０００、ユニバーサル地上無線アクセス（Universal Terrestrial Radio Access）（ＵＴＲＡ）、Ｅｖｏｌｖｅｄ  ＵＴＲＡ（Ｅ−ＵＴＲＡ）などの無線技術を実装することができる。ｃｄｍａ２０００は、ＩＳ−２０００、ＩＳ−９５、およびＩＳ−８５６規格をカバーする。ＵＴＲＡおよびＥ−ＵＴＲＡは、ユニバーサル移動体通信システム（Universal Mobile Telecommunication System）（ＵＭＴＳ）の一部である。ＵＴＲＡは、広帯域ＣＤＭＡ（Ｗ−ＣＤＭＡ、ＵＭＴＳ−ＦＤＤ）および時分割同期ＣＤＭＡ（Time Division Synchronous CDMA）（ＴＤ−ＳＣＤＭＡ）（ＵＭＴＳ−ＴＤＤ、低チップレートＵＭＴＳ−ＴＤＤ、高チップレートＵＭＴＳ−ＴＤＤ）を含む。ＴＤＭＡシステムは、移動体通信用グローバルシステム（Global System for Mobile Communications）（ＧＳＭ）などの無線技術を実装することができる。ＯＦＤＭＡシステムは、（Ｅ−ＵＴＲＡの一部である）長期的発展（Long Term Evolution）（ＬＴＥ）、ＩＥＥＥ８０２．２０、Ｆｌａｓｈ−ＯＦＤＭ（登録商標）などの無線技術を実装することができる。ＵＴＲＡ、Ｅ−ＵＴＲＡ、ＵＭＴＳ、およびＧＳＭは、「第３世代パートナーシッププロジェクト」（３ＧＰＰ）と名付けられた組織からの文書に記載されている。ｃｄｍａ２０００は、「第３世代パートナーシッププロジェクト２」（３ＧＰＰ２）と名付けられた組織からの文書に記載されている。これらの様々な無線技術および規格は当技術分野において知られている。明確にするために、本技術の特定の態様がＵＭＴＳに関して以下で説明され、３ＧＰＰの用語が以下の説明の多くの部分において使用される。
【００２１】
ＵＭＴＳにおいて、ＵＥに関するデータは、上位レイヤにおいて１つまたは複数のトランスポートチャネルとして処理される。トランスポートチャネルは、１つまたは複数のサービスに関するデータ、例えば、音声、ビデオ、パケットデータなどを搬送することができる。トランスポートチャネルは、物理レイヤにおいて物理チャネルにマッピングされる。物理チャネルは、異なるチャネル化符号を用いてチャネル化され、符号領域において互いに直交する。
【００２２】
３ＧＰＰリリース５以降は、ダウンリンク上の高速なパケットデータ伝送を可能にするチャネルおよびプロシージャの集合である高速ダウンリンクパケットアクセス（ＨＳＤＰＡ）をサポートする。ＨＳＤＰＡに関して、ノードＢは、時間および符号の両方において全てのＵＥによって共有されるダウンリンクトランスポートチャネルである高速ダウンリンク共有チャネル（High Speed Downlink Shared Channel）（ＨＳ−ＤＳＣＨ）上でデータを送信する。ＨＳ−ＤＳＣＨは、各送信時間間隔（ＴＴＩ）において１つまたは複数のＵＥに関するデータを搬送することができる。ＨＳＤＰＡに関して、１０ミリ秒（ｍｓ）のフレームが５つの２ｍｓのサブフレームに分割され、各サブフレームは３つのタイムスロットを包含し、各タイムスロットは０．６６７ｍｓの継続時間を有する。ＴＴＩはＨＳＤＰＡに関する１つのサブフレームに相当し、ＵＥがスケジューリングされ、サービスを提供されることができる最も小さな時間単位である。ＨＳ−ＤＳＣＨの共有は動的であり、ＴＴＩ毎に変わることができる。
【００２３】
表１は、ＨＳＤＰＡのために使用される一部のダウンリンクおよびアップリンク物理チャネルを列挙し、各物理チャネルに関する短い説明を提供する。
【表１】
2009528000.tif 000003
【００２４】
ＨＳＤＰＡに関して、ノードＢは、ＨＳ−ＰＤＳＣＨに対して最大１５個の拡散率１６（ＳＦ＝１６）の１６チップのチャネル化符号を使用することができる。また、ノードＢは、高速ダウンリンク共有チャネル用共有制御チャネル（ＨＳ−ＳＣＣＨ）に対して任意の数の拡散率１２８（ＳＦ＝１２８）の１２８チップのチャネル化符号を使用することができる。ＨＳ−ＰＤＳＣＨに対する１６チップのチャネル化符号の数と、ＨＳ−ＳＣＣＨに対する１２８チップのチャネル化符号の数とは設定可能である。ＨＳ−ＰＤＳＣＨおよびＨＳ−ＳＣＣＨに対するチャネル化符号は、直交可変拡散率（orthogonal variable spreading factor）（ＯＶＳＦ）符号ツリーに基づく構造化されたやり方で生成されることができるＯＶＳＦ符号である。拡散率（ＳＦ）は、チャネル化符号の長さである。シンボルは、シンボルに対してＳＦ個のチップを生成するために長さＳＦのチャネル化符号で拡散される。ノードＢは、各送信アンテナに関して利用可能なチャネル化符号の全てを再利用することができる。
【００２５】
ＵＥは、ＨＳ−ＰＤＳＣＨ上のデータ伝送のために最大１５個の１６チップのチャネル化符号を割り当てられることができ、ＨＳＤＰＡの現在の仕様によれば、ＨＳ−ＳＣＣＨ上のシグナリング情報の監視のために最大４個の１２８チップのチャネル化符号を割り当てられることができる。ＨＳ−ＳＣＣＨに対する１２８チップのチャネル化符号は、呼設定においてＵＥに割り当てられ、上位レイヤのシグナリングを介してＵＥにシグナリングされる。ＨＳ−ＰＤＳＣＨに対する１６チップのチャネル化符号はＵＥに動的に割り当てられ、ＵＥに割り当てられた１２８チップのチャネル化符号のうちの１つを使用してＨＳ−ＳＣＣＨ上で送信されるシグナリングを介してＵＥに搬送される。
【００２６】
以下の説明において、ＨＳＤＰＡは、（ａ）各ＨＳ−ＰＤＳＣＨが異なる１６チップのチャネル化符号に対応するようにして最大１５個のＨＳ−ＰＤＳＣＨを有し、（ｂ）各ＨＳ−ＳＣＣＨが異なる１２８チップのチャネル化符号に対応するようにして任意の数のＨＳ−ＳＣＣＨを有すると考えられる。ＵＥは、監視のために最大４個のＨＳ−ＳＣＣＨを割り当てられることができ、所与のＴＴＩにおいて最大１５個のＨＳ−ＰＤＳＣＨを割り当てられることができる。ＵＥに割り当てられるＨＳ−ＳＣＣＨは、チャネル識別子（ＩＤ）に関連付けられることができる。例えば、最も小さなチャネル化符号インデックス（または単に符号インデックス）を有するＨＳ−ＳＣＣＨはチャネルＩＤ  １を与えられることができ、２番目に小さな符号インデックスを有するＨＳ−ＳＣＣＨはチャネルＩＤ  ２を与えられることができ、３番目に小さな符号インデックスを有するＨＳ−ＳＣＣＨはチャネルＩＤ  ３を与えられることができ、最も大きな符号インデックスを有するＨＳ−ＳＣＣＨはチャネルＩＤ  ４を与えられることができる。割り当てられたＨＳ−ＳＣＣＨに関するチャネルＩＤは、ＨＳ−ＳＣＣＨとチャネルＩＤの間に１対１のマッピングが存在するようにその他のやり方で規定されてもよい。特定のシグナリング情報が、以下で説明されるようにチャネルＩＤを介して搬送されることができる。
【００２７】
ＨＳＤＰＡは、インクリメンタルな冗長性（incremental redundancy）（ＩＲ）とも呼ばれるハイブリッド自動再送（hybrid automatic retransmission）（ＨＡＲＱ）をサポートする。ＨＡＲＱを用いる場合、ノードＢは転送ブロック（transport block）に関する伝送を送信し、転送ブロックがＵＥによって正しく復号化されるか、または最大回数の再送が送信されてしまうか、または何らかのその他の終了条件が満たされるまで１回または複数回の再送を送信することができる。転送ブロックは、データブロック、パケットなどと呼ばれることもある。したがって、ノードＢは、ＨＡＲＱを用いて、変更可能な回数の転送ブロックの伝送を送信することができる。
【００２８】
図４は、ＨＳＤＰＡに関する例示的な伝送を示す。ノードＢは、各ＴＴＩにおいて１つまたは複数のＵＥにサービスを提供することができる。ノードＢは、ＨＳ−ＳＣＣＨ上でスケジューリングされたＵＥの各々に関するシグナリングを送信し、２スロット後にＨＳ−ＰＤＳＣＨ上でデータを送信する。ＨＳ−ＰＤＳＣＨ上でデータを受信する可能性がある各ＵＥは、そのＵＥの割り当てられたＨＳ−ＳＣＣＨを各ＴＴＩにおいて処理して、シグナリングがそのＵＥに対して送信されたかどうかを判定する。所与のＴＴＩにおいてスケジューリングされた各ＵＥは、ＨＳ−ＰＤＳＣＨを処理して、そのＵＥに対して送信されたデータを復元し、転送ブロックが正しく復号化される場合にはＨＳ−ＤＰＣＣＨ上で肯定応答（ＡＣＫ）を送信し、そうでなければ、ＨＳ−ＤＰＣＣＨ上で否定応答（ＮＡＫ）を送信することができる。各ＵＥは、信号対干渉雑音比（signal-to-noise-and-interference ratio）（ＳＩＮＲ）を推定し、ＳＩＮＲ推定値に基づいてチャネル品質インジケータ（channel quality indicator）（ＣＱＩ）を決定し、ＨＳ−ＰＤＳＣＨ上の対応する伝送の終了から約７．５スロット後にＨＳ−ＤＰＣＣＨ上でＡＣＫ／ＮＡＫと共にＣＱＩを送信することもできる。
【００２９】
図５は、図２のノードＢ  １１０ｘのＴＸデータプロセッサ２２０、ＴＸシグナリングプロセッサ２３０、およびコンバイナ２３２の設計のブロック図を示す。明確にするために、１つのＵＥにデータおよびシグナリングを送信するための処理が以下で説明される。
【００３０】
ＴＸデータプロセッサ２２０内で、データ符号化器５２０は、ＵＥに送信するデータを受信し、データを転送ブロックに分割し、各転送ブロックを符号化スキームに基づいて符号化して符号化ブロックを取得する。符号化器５２０は、各符号化ブロックを複数の冗長性バージョン（redundancy versions）にさらに分割し、これらの冗長性バージョンをＩＲバッファに記憶する。各冗長性バージョンは、異なる符号化情報（または符号ビット）を符号化ブロックに含むことができる。符号化器５２０は、対応する転送ブロックの各伝送のために符号化ブロックの１つの冗長性バージョンを提供する。多重分離装置（Ｄｅｍｕｘ）５２２は、符号化器５２０から該冗長性バージョンを受信し、該受信された冗長性バージョンの符号ビットを多重分離し、伝送のために使用される最大１５個のＨＳ−ＰＤＳＣＨに関する１５個のシンボルマッパ５２４ａ〜５２４ｏに符号ビットを提供する。各シンボルマッパ５２４は、そのシンボルマッパ５２４の符号ビットをインターリーブ（または並べ替え）し、さらに、インターリーブされたビットを変調スキームに基づいてデータシンボルにマッピングする。シンボルマッパ５２４ａ〜５２４ｏは、データシンボルを拡散器５２６ａ〜５２６ｏにそれぞれ提供する。各拡散器５２６は、その拡散器５２６のデータシンボルを、その拡散器に割り当てられた１６チップのチャネル化符号を用いて拡散する。乗算器５２８ａ〜５２８ｏは、拡散器５２６ａ〜５２６ｏの出力を利得ＧＤ１からＧＤ１５とそれぞれ乗算し、１５個のＨＳ−ＰＤＳＣＨに関するデータチップを提供する。利得ＧＤ１からＧＤ１５は、１５個のＨＳ−ＰＤＳＣＨのために使用する送信電力の量を決定し、各利得は、関連するＨＳ−ＰＤＳＣＨを使用できないようにするために０に設定されることができる。転送ブロックサイズは、伝送に使用するＨＳ−ＰＤＳＣＨの数に基づいて選択されることができ、符号化器５２０による処理は、選択された転送ブロックサイズに基づいて実行されることができる。
【００３１】
ＴＸシグナリングプロセッサ２３０内で、シグナリングマッパ５３０は、各ＴＴＩにおいてＵＥに送信するシグナリング情報を受信し、受信されたシグナリング情報に基づいて、ＵＥに割り当てられたＫ個のＨＳ−ＳＣＣＨの中から１つまたは複数の特定のＨＳ−ＳＣＣＨを選択し、ここで、ＵＭＴＳの３ＧＰＰリリース５に関しては１≦Ｋ≦４であるが、それよりも後のリリースではより大きい可能性がある。ＵＭＴＳの３ＧＰＰリリース５において、ＨＳ−ＳＣＣＨは、送信されたデータブロックの上で以下の情報、すなわち、変調スキーム（ＭＳ）（リリース５においてはＱＰＳＫまたは１６−ＱＡＭがあり得る）と、１５個のあり得る１６チップのチャネル化符号のうちのどの（１つまたは複数の）チャネル化符号が転送ブロックに対して使用されるかを示すチャネル化符号のセット（ＣＣＳ）と、転送ブロックサイズ（ＴＢＳ）と、ＨＡＲＱプロセスＩＤ（ＨＩＤ）と、冗長性バージョン（ＲＶ）と、新しい転送ブロックが送信されるのか、それとも繰り返しが送信されるのかを示す新データインジケータ（ＮＤ）と、データブロックが送信されるＵＥのＵＥ  ＩＤとを搬送する。より後のリリースにおいては、６４−ＱＡＭ変調、ＭＩＭＯなどの新しい特徴をサポートするためにより多くの情報がＨＳ−ＳＣＣＨ上で送信される可能性がある。様々な種類のシグナリング情報が、以下で説明されるように、それぞれの選択されたＨＳ−ＳＣＣＨのチャネルＩＤを介して搬送されることができる。その場合、このことは、選択された（１つまたは複数の）ＨＳ−ＳＣＣＨ上で送信するシグナリング情報の量を削減する。マッパ５３０は、受信されたシグナリング情報に基づいて選択された１つまたは複数のＨＳ−ＳＣＣＨに関する、Ｋ個のシグナリング符号化器５３２ａ〜５３２ｋのうちの１つまたは複数にシグナリング情報を提供する。各符号化器５３２は、符号化スキームに基づいてシグナリング情報を符号化し、対応する符号語を関連するシンボルマッパ５３４に提供する。シンボルマッパ５３４は、（例えば、ＱＰＳＫに基づいて）符号語の符号ビットをシグナリングシンボルにマッピングし、シグナリングシンボルを関連する拡散器５３６に提供する。拡散器５３６は、その拡散器に割り当てられた１２８チップのチャネル化符号Ｃｋに基づいてシグナリングシンボルを拡散する。乗算器５３８ａ〜５３８ｋは、拡散器５３６ａ〜５３６ｋの出力を利得ＧＳ１からＧＳＫとそれぞれ乗算し、Ｋ個のＨＳ−ＳＣＣＨに関するシグナリングチップを提供する。利得ＧＳ１からＧＳＫは、Ｋ個のＨＳ−ＳＣＣＨのために使用する送信電力の量を決定し、各利得は、関連するＨＳ−ＳＣＣＨを使用できないようにするために０に設定されることができる。例えば、それぞれの選択されたＨＳ−ＳＣＣＨに対する利得は非ゼロの値に設定されることができ、それぞれの選択されなかったＨＳ−ＳＣＣＨに対する利得は０に設定されることができる。
【００３２】
コンバイナ２３２内で、加算器５４０は、ＴＸデータプロセッサ２２０内の乗算器５２８ａ〜５２８ｏからのデータチップと、ＴＸシグナリングプロセッサ２３０内の乗算器５３８ａ〜５３８ｋからのシグナリングチップとを加算する。乗算器５４２は、加算器５４０の出力をノードＢのスクランブリング符号と乗算し、送信機２３４に出力チップを提供する。
【００３３】
図６は、図３のノードＢ  １１０ｙのＴＸデータおよび空間プロセッサ３２０の設計のブロック図を示す。明確にするために、１つのＵＥにデータを送信するための処理が以下で説明される。概して、Ｓ個のデータストリームが、Ｔ個の送信アンテナからＲ個の受信アンテナに並列に送信されることができ、ここで、Ｓ≦ｍｉｎ｛Ｔ，Ｒ｝である。ＴＸデータおよび空間プロセッサ３２０内で、多重分離装置６２０は、ＵＥに送信するデータを受信し、データを最大Ｔ個のデータストリームに多重分離し、データストリームを最大Ｔ個のデータ符号化器６２２ａ〜６２２ｔに提供する。概して、最大ｍｉｎ｛Ｔ，Ｒ｝の任意の数のデータストリームがＵＥに送信されることができ、送信するデータストリーム数は、チャネルの状態および／またはその他の要因に基づいて選択されることができる。各符号化器６２２は、その符号化器６２２のデータストリームを転送ブロックに分割し、各転送ブロックを符号化スキームに基づいて符号化して符号化ブロックを取得する。各符号化器６２２は、各符号化ブロックを複数の冗長性バージョンにさらに分割し、これらの冗長性バージョンを関連するＩＲバッファに記憶する。（例えば、コントローラ３４０によって）命令されたとき、各符号化器６２２は、符号化ブロックに関する選択された冗長性バージョンを関連するシンボルマッパ６２４に提供する。シンボルマッパ６２４は、選択された冗長性バージョンの符号ビットをインターリーブし、インターリーブされたビットを変調スキームに基づいてデータシンボルにマッピングする。
【００３４】
空間マッパ６２６は、シンボルマッパ６２４ａ〜６２４ｔからデータシンボルを受信し、空間マッピングスキームに基づいてデータシンボルに対して空間マッピングを実行する。空間マッピングは、伝送のために使用される各ＨＳ−ＰＤＳＣＨに関する全てのデータストリームに渡って実行されることができる。各シンボル期間における各ＨＳ−ＰＤＳＣＨのチャネル化符号ｃに関する空間マッピングは、
【数１】
2009528000.tif 000004
【００３５】
のように表されることができ、ここで、ｂｃ（ｓ）は、シンボル期間ｓにおいてチャネル化符号ｃで送信する最大Ｔ個のデータシンボルによるベクトルであり、
Ｂｃは、チャネル化符号ｃに関するプリコーディング重み（precoding weight）行列であり、
ｄｃ（ｓ）は、最大Ｔ個の送信アンテナに関する最大Ｔ個の出力シンボルによるベクトルである。
【００３６】
時空間送信ダイバーシティ（space-time transmit diversity）（ＳＴＴＤ）、閉ループ送信ダイバーシティ（closed loop transmit diversity）（ＣＬＴＤ）、アンテナ毎のレート制御（per antenna rate control）（ＰＡＲＣ）、符号再利用ベル研レイヤ化時空間（code reuse Bell Labs layered space-time）（ＣＲＢＬＡＳＴ）、倍送信アダプティブアレイ（double-transmit adaptive array）（Ｄ−ＴＸＡＡ）などの様々な空間マッピングスキームがサポートされることができる。ＳＴＴＤに関して、１つのデータストリームが、時間および空間ダイバーシティを達成するために各データシンボルが２シンボル期間中に両方のアンテナから送信されるようにして２つの送信アンテナから送信される。ＣＬＴＤに関して、１つのデータストリームが、ＵＥによる受信を改善するために１つのアンテナの位相が調整されるようにして２つの送信アンテナから送信される。ＣＬＴＤに関して、プリコーディング重み行列Ｂｃは、４つの２×１ベクトルの集合｛［１  ｅｊπ／４］Ｔ，［１  ｅ−ｊ３π／４］Ｔ，［１  ｅｊ３π／４］Ｔ，［１  ｅ−ｊπ／４］Ｔ｝から選択されることができ、ここで、‘‘Ｔ’’は転置を表す。ＰＡＲＣに関して、最大Ｔ個のデータストリームが、アンテナ毎に１データストリームずつ最大Ｔ個の送信アンテナから送信される。ＣＲＢＬＡＳＴに関して、１つのデータストリームが最大Ｔ個の送信アンテナから送信される。ＰＡＲＣおよびＣＲＢＬＡＳＴの両方に関して、プリコーディング重み行列Ｂｃは、対角に沿って１を含み、それ以外の所に０を含む単位行列Ｉに等しい可能性がある。Ｄ−ＴＸＡＡに関して、１つまたは２つのデータストリームが、各データストリームが両方のアンテナから送信されるようにして２つの送信アンテナから送信される。Ｄ−ＴＸＡＡに関して、プリコーディング重み行列Ｂｃは、２つのデータストリームが送信されるときは２つの２×２行列の集合
【数２】
2009528000.tif 000005
【００３７】
から選択されることができるか、またはＢｃは、１つのデータストリームだけが送信されるときは４つの２×１ベクトルの集合｛［１  ｅｊπ／４］Ｔ，［１  ｅ−ｊ３π／４］Ｔ，［１  ｅｊ３π／４］Ｔ，［１  ｅ−ｊπ／４］Ｔ｝から選択されることができる。その他の空間マッピングスキームがサポートされることもできる。
【００３８】
空間マッパ６２６は、出力シンボルの最大Ｔ個のストリームを最大Ｔ個のＣＤＭＡ変調器（ＭＯＤ）６２８ａ〜６２８ｔに提供する。各ＣＤＭＡ変調器６２８は、多重分離装置５２２、拡散器５２６ａ〜５２６ｏ、および乗算器５２８ａ〜５２８ｏに関して図５において上述されたように動作することができる多重分離装置、最大１５個の拡散器、および最大１５個の乗算器を含むことができる。各ＣＤＭＡ変調器６２８は、そのＣＤＭＡ変調器６２８の出力シンボルのストリームを最大１５個のＨＳ−ＰＤＳＣＨに関する最大１５個のサブストリームに多重分離し、関連するＨＳ−ＰＤＳＣＨに関する１６チップのチャネル化符号によって各サブストリームの出力シンボルを拡散し、各サブストリームに対する拡散動作の出力を関連するＨＳ−ＰＤＳＣＨに関する利得と乗算して、そのＨＳ−ＰＤＳＣＨに関するデータチップストリームを取得する。各ＣＤＭＡ変調器６２８は、最大１５個のＨＳ−ＰＤＳＣＨに関する最大１５個のデータチップストリームを関連するコンバイナ３３２に提供する。
【００３９】
ＴＸシグナリングプロセッサ３３０は、図５のＴＸシグナリングプロセッサ２３０と同じやり方で実装されることができる。ＴＸシグナリングプロセッサ３３０は、ＵＥに関するシグナリング情報をＵＥに割り当てられたＫ個のＨＳ−ＳＣＣＨのうちの１つまたは複数にマッピングし、各ＨＳ−ＳＣＣＨに関するシグナリング情報を処理し、最大Ｋ個のＨＳ−ＳＣＣＨに関する最大Ｋ個のシグナリングチップストリームを提供することができる。
【００４０】
各コンバイナ３３２は、図５の加算器５４０および乗算器５４２に関して上述されたように動作することができる加算器および乗算器を含むことができる。各コンバイナ３３２は、関連するＣＤＭＡ変調器６２８から受信されたデータチップストリームとＴＸシグナリングプロセッサ３３０から受信されたシグナリングチップストリームとを加算し、加算されたチップをノードＢに関するスクランブリング符号と乗算し、出力チップを関連する送信機３３４に提供することができる。
【００４１】
図２のノードＢ  １１０ｘは、１つのデータストリームをＵＥに送信することができる。図３のノードＢ  １１０ｙは、１つまたは複数のデータストリームをＵＥに送信することができる。様々なパラメータが、例えば、ＵＥから受信されたフィードバック情報に基づいて各データストリームに対して選択されることができる。例えば、変調スキーム、転送ブロックサイズ、およびチャネル化符号セットが、例えば、ＵＥから受信されたＣＱＩに基づいて各データストリームに対して選択されることができる。変調スキームは、ＱＰＳＫ、１６−ＱＡＭなどである可能性がある。転送ブロックサイズは、各転送ブロックのサイズと、各転送ブロックに対して使用する符号化率とを示すことができる。チャネル化符号のセットは、データストリームに対して使用する１つまたは複数の特定の１６チップチャネル化符号を示すことができる。各データストリームに関して、選択された転送ブロックサイズがそのストリームに関するデータ符号化器に提供されることができ、選択された変調スキームがそのストリームに関する（１つもしくは複数の）シンボルマッパに提供されることができ、選択されたチャネル化符号のセットがそのストリームに関する（１つもしくは複数の）拡散器または（１つもしくは複数の）ＣＤＭＡ変調器に提供されることができる。
【００４２】
Ｓ個の転送ブロックに関するＳ個の伝送が、Ｓ個のデータストリームに関する所与のＴＴＩにおいて送信されることができ、ここで、１≦Ｓ≦Ｔである。ＴＴＩにおいて送信される転送ブロックの数は、そのＴＴＩにおいて送信されるデータストリームの数に等しい可能性がある。前の転送ブロックに対してＵＥからＡＣＫが受信されるときにはいつでも、新しい転送ブロックが、データストリームに関して送信されることができる。冗長性バージョンが、転送ブロックの各伝送に対してやはり選択されることができる。各データストリームに関して、新しい転送ブロックを送信するか否か、および転送ブロックの各伝送に関してどの冗長性バージョンを送信するかを示す制御情報が、そのストリームに関するデータ符号化器に提供されることができる。
【００４３】
表２は、ＨＳ−ＰＤＳＣＨ上で送信される伝送に関して、ＵＭＴＳの３ＧＰＰリリース５に従ってＨＳ−ＳＣＣＨ上で送信されることができるシグナリング情報を与える。表２の第１列はシグナリングパラメータを列挙し、第２列は（ビット数で表した）パラメータサイズを与え、第３列は各パラメータの短い説明を与える。表２に示されたＨＳ−ＳＣＣＨ上で搬送されるシグナリングパラメータは、より後のリリースでは変わる可能性がある。
【表２】
2009528000.tif 000006
【００４４】
ＵＭＴＳの３ＧＰＰリリース５において、転送ブロックサイズ（ＴＢＳ）フィールドの６ビット値によって示されるＴＢＳは、（ｉ）変調スキームフィールドによって示される変調スキーム（例えば、リリース５においてはＱＰＳＫまたは１６−ＱＡＭ）と、（ｉｉ）チャネル化符号のセット（ＣＣＳ）フィールドによって示されるチャネル化符号の数とに応じて規定される。変調スキームとチャネル化符号の数との所与の組合せに対して、転送ブロックサイズに関して６３個のあり得る値が存在する。ＴＢＳフィールドにおける全て１である値は、再送の場合に、転送ブロックサイズが前の伝送においてシグナリングされた転送ブロックサイズであることを示すために使用される。
【００４５】
表３は、ＭＩＭＯによってＨＳ−ＰＤＳＣＨ上で送信される１つまたは２つの伝送に関する、１つまたは複数のＨＳ−ＳＣＣＨ上で送信されることができるシグナリング情報の１つの設計を与える。表３の第１列はシグナリングパラメータを列挙し、第２列は、１つのデータストリームに関して１つの転送ブロックが送信されるときのパラメータサイズを与え、第３列および第４列は、２つのデータストリームに関して２つの転送ブロックが送信されるときのパラメータサイズを与える。転送ブロックサイズ、冗長性バージョン、および新データインジケータは、２つの転送ブロックが送信されるときはプライマリ転送ブロックおよびセカンダリ転送ブロックに対して分けて送信される。異なるおよび／または追加的なシグナリング情報が、その他の設計において（１つまたは複数の）ＨＳ−ＳＣＣＨ上でやはり送信されることができる。
【表３】
2009528000.tif 000007
【００４６】
概して、ノードＢは、ＵＥが転送ブロックを復元することを可能にするために、転送ブロックの伝送に関する任意のシグナリング情報を送信することができる。例えば、シグナリング情報は、符号化および変調スキーム、チャネル化符号、ＨＡＲＱパラメータ、プリコーディング重みなどを搬送することができる。シグナリング情報は、メッセージまたはスケジューリング情報ワード（scheduling information word）（ＳＩＷ）として処理され、巡回冗長検査（ＣＲＣ）の合計値によって保護され、受信ＵＥのＵＥ  ＩＤを用いてスクランブルされ、ＵＥに割り当てられたＨＳ−ＳＣＣＨのうちの１つで送信されることができる。ＵＥは、そのＵＥの関連するＨＳ−ＳＣＣＨを監視することができる。スケジューリングされると、ＵＥは、割り当てられたＨＳ−ＳＣＣＨのうちの１つで送信されたシグナリング情報を復号化することができ、次に、ＨＳ−ＰＤＳＣＨ上で送信された伝送を復号化することができる可能性がある。
【００４７】
概して、ノードＢは、所与のＴＴＩにおいてＵＥに１つまたは複数の伝送を送信することができ、各伝送は異なる転送ブロックに関する可能性がある。ノードＢは、ＵＥが各伝送を復号化することを可能にするために、その伝送に関する十分なシグナリング情報を送信することができる。各伝送に関するシグナリング情報は、別個のシグナリングメッセージで送信されることができる。代替的に、ＴＴＩにおける複数の（例えば、全ての）伝送に関するシグナリング情報が、単一のシグナリングメッセージで送信されることができる。
【００４８】
一態様において、シグナリングのオーバヘッドを削減するために、ノードＢは、シグナリング情報を送信するために使用される各ＨＳ−ＳＣＣＨのチャネルＩＤを介して一部のシグナリング情報を搬送する。ノードＢは、（１つまたは複数の）選択されたＨＳ−ＳＣＣＨ上で残りのシグナリング情報を送信する。様々な種類のシグナリング情報が、以下で説明されるようにチャネルＩＤを介して搬送されることができる。
【００４９】
１つの設計において、複数のシグナリングメッセージが、所与のＴＴＩにおいてＨＳ−ＰＤＳＣＨ上で送信される複数の伝送に関して複数のＨＳ−ＳＣＣＨ上で送信され、ＨＳ−ＳＣＣＨのチャネルＩＤが、どのシグナリングメッセージが各伝送に当てはまるのかを搬送する。例えば、ノードＢは、２つ以上の送信アンテナからＵＥに２つのデータストリームを同時に送信することができる。ＵＥがスケジューリングされる各ＴＴＩにおいて、ノードＢは、２つのデータストリームの２つの転送ブロックの２つの伝送に関する２つのシグナリングメッセージを送信することができる。各シグナリングメッセージは、表２のパラメータおよび／またはその他のパラメータを含むことができる。ノードＢは、２つのＨＳ−ＳＣＣＨ上で２つのシグナリングメッセージを送信することができる。これら２つのＨＳ−ＳＣＣＨのチャネルＩＤ（または、チャネル化符号インデックス）は、どのシグナリングメッセージが各データストリームに当てはまるのかを搬送するために使用されることができる。
【００５０】
各データストリームに関するシグナリングメッセージの識別は、ＨＳ−ＳＣＣＨのチャネルＩＤとデータストリームとの間の所定のマッピングに基づくことができる。例えば、所定のマッピングは以下の通りであることができる。
【００５１】
・第１のデータストリームに関するシグナリングメッセージが、ＵＥに割り当てられた全てのＨＳ−ＳＣＣＨ、またはＵＥにシグナリングを送信するために使用される全てのＨＳ−ＳＣＣＨの中で最小の符号インデックスを有するＨＳ−ＳＣＣＨ上で送信され、
・第２のデータストリームに関するシグナリングメッセージが、全ての割り当てられたまたは使用されるＨＳ−ＳＣＣＨの中で２番目に小さな符号インデックスを有するＨＳ−ＳＣＣＨ上で送信され、
・それぞれの後続のデータストリームに関するシグナリングメッセージが、全ての割り当てられたまたは使用されるＨＳ−ＳＣＣＨの中で次に小さな符号インデックスを有するＨＳ−ＳＣＣＨ上で送信される。
【００５２】
ＨＳ−ＳＣＣＨは、それらのＨＳ−ＳＣＣＨの符号インデックスに基づく所定のやり方で（例えば、昇順または降順で）順序付けられることができる。所定のマッピングは、割り当てられたＨＳ−ＳＣＣＨとデータストリームとの間であることができ、例えば、ｎ番目の割り当てられたＨＳ−ＳＣＣＨが、ｎ番目のデータストリームに対して使用されることができ、ここで、ｎ＝１，２，．．．である。この場合、適切なＨＳ−ＳＣＣＨが、送信されているデータストリームに基づいて、使用するために選択されることができる。所定のマッピングは、選択されたＨＳ−ＳＣＣＨとデータストリームの間であることもできる。この場合、任意のＨＳ−ＳＣＣＨが、割り当てられたＨＳ−ＳＣＣＨの中から選択されることができ、ｎ番目の選択されたＨＳ−ＳＣＣＨがｎ番目のデータストリームに対して使用されることができる。チャネルＩＤとデータストリームの間の所定のマッピングは、その他のやり方で規定されることもできる。概して、所定のマッピングは、各データストリームに関するシグナリングメッセージが、そのシグナリングメッセージを送信するために使用されたＨＳ−ＳＣＣＨのチャネルＩＤに基づいて突き止められることができるようなものであることができる。したがって、複数のシグナリングメッセージが、さらなるオーバヘッドをもたらすことなく特定のデータストリームにマッピングされることができる。
【００５３】
ＵＥは、所与のＴＴＩにおいて受信されたシグナリングメッセージの数に基づいて当該ＴＴＩにおいて送信されているデータストリームの数を突き止めることができる可能性がある。各ＴＴＩにおいて、ＵＥは、１つのシグナリングメッセージだけが単一のＨＳ−ＳＣＣＨ上で受信される場合、単一のデータストリームが送信されること、複数のシグナリングメッセージが複数のＨＳ−ＳＣＣＨ上で受信される場合、複数のデータストリームが送信されること、またはシグナリングメッセージがどの割り当てられたＨＳ−ＳＣＣＨ上においても受信されない場合、データストリームが送信されないことを突き止めることができる。単一のデータストリームと複数のデータストリームとの間の動的な切換が、追加的なオーバヘッドをもたらすことなく容易にサポートされることができる。
【００５４】
例として、ノードＢは、良好なチャネルの状態の下ではＰＡＲＣを用いて２つのデータストリームを送信することができ、不良なチャネルの状態の下ではＳＴＴＤまたはＣＬＴＤを用いて単一のデータストリームを送信することができる。チャネルの状態は、ＵＥから受信されたＣＱＩに基づいて判定されることができる。ノードＢは、チャネルの条件に基づいて２ストリームＰＡＲＣと単一ストリーム送信ダイバーシティとを動的に切り換えることができる。ノードＢは、送信ダイバーシティを用いて単一データストリームを送信するときに単一のシグナリングメッセージを送信することができ、ＰＡＲＣを用いて２つのデータストリームを送信するときに２つのシグナリングメッセージを送信することができる。各シグナリングメッセージは、関連するデータストリームを復号化するための関連する情報を搬送することができる。
【００５５】
図７は、ＨＳ−ＳＣＣＨとデータストリームとの間の所定のマッピングを用いる、４つのＨＳ−ＳＣＣＨ  ＃１から＃４上のシグナリングメッセージの例示的な伝送を示す。対象のＵＥ（ＵＥ  ＃１）は、当該ＵＥに割り当てられた４つのＨＳ−ＳＣＣＨを監視する。この例において、ＨＳ−ＳＣＣＨ  ＃１、＃２、＃３、および＃４は、それぞれ、インデックス８、１０、１３、および１５を有する１２８チップのチャネル化符号を使用して送信される。概して、任意の符号インデックスがＨＳ−ＳＣＣＨに対して使用されることができる。４つのＨＳ−ＳＣＣＨのチャネルＩＤ（例えば、＃１、＃２、＃３、および＃４）は、実際の符号インデックスの代わりに符号インデックスの相対的な値に基づいて判定されることができる。
【００５６】
ＵＥ  ＃１はＴＴＩ  ｍにおいてスケジューリングされておらず、シグナリングメッセージは、４つのＨＳ−ＳＣＣＨのいずれにおいてもＵＥ  ＃１に送信されない。ＵＥ  ＃１は、ＴＴＩ  ｍ＋１において２つのデータストリームに関する２つの転送ブロックの２つの伝送をスケジューリングされる。第１のデータストリームに関するシグナリングメッセージがＨＳ−ＳＣＣＨ  ＃１上で送信され、第２のデータストリームに関するシグナリングメッセージがＨＳ−ＳＣＣＨ  ＃３上で送信される。ＴＴＩ  ｍ＋１においてＨＳ−ＳＣＣＨ  ＃１上で送信されるシグナリングメッセージは、ＰＡＲＣを用いてアンテナ＃１から送信されることができる第１のデータストリームに関してこのＴＴＩにおいて送信される伝送に関する種々のパラメータを搬送することができる。ＴＴＩ  ｍ＋１においてＨＳ−ＳＣＣＨ  ＃３上で送信されるシグナリングメッセージは、アンテナ＃２から送信されることができる第２のデータストリームに関してこのＴＴＩにおいて送信される伝送に関する種々のパラメータを搬送することができる。
【００５７】
ＵＥ  ＃１は、ＴＴＩ  ｍ＋２においてスケジューリングされない。ＵＥ  ＃１は、ＴＴＩ  ｍ＋３において１つのデータストリームに関する１つの伝送をスケジューリングされ、単一のシグナリングメッセージが、ＨＳ−ＳＣＣＨ  ＃２上でＵＥ  ＃１に送信される。このシグナリングメッセージは、１つの伝送だけが、ＵＥ  ＃１に対して設定された送信ダイバーシティスキームを使用してＴＴＩ  ｍ＋３においてＵＥ  ＃１に送信されることを示すことができる。ＴＴＩ  ｍ＋３においてＨＳ−ＳＣＣＨ  ＃２上で送信されるシグナリングメッセージは、このＴＴＩにおいて送信ダイバーシティを用いて送信される伝送に関する種々のパラメータをやはり搬送することができる。ＵＥ  ＃１は、ＴＴＩ  ｍ＋４においてスケジューリングされない。ＵＥ  ＃１は、ＴＴＩ  ｍ＋５において２つのデータストリームに関する２つの伝送をスケジューリングされる。第１のデータストリームに関するシグナリングメッセージがＨＳ−ＳＣＣＨ  ＃３上で送信され、第２のデータストリームに関するシグナリングメッセージがＨＳ−ＳＣＣＨ  ＃４上で送信される。ＴＴＩ  ｍ＋５においてＨＳ−ＳＣＣＨ  ＃３上で送信されるシグナリングメッセージは、第１のデータストリームに関してこのＴＴＩにおいて送信される伝送に関する種々のパラメータを搬送することができる。ＴＴＩ  ｍ＋５においてＨＳ−ＳＣＣＨ  ＃４上で送信されるシグナリングメッセージは、第２のデータストリームに関してこのＴＴＩにおいて送信される伝送に関する種々のパラメータを搬送することができる。
【００５８】
図３に示された例において、選択されたＨＳ−ＳＣＣＨとデータストリームとの間の所定のマッピングが、シグナリングメッセージを送信するために使用される。任意のＨＳ−ＳＣＣＨが各ＴＴＩにおいて選択されることができ、各データストリームに関するシグナリングメッセージが、所定のマッピングに基づいて、選択されたＨＳ−ＳＣＣＨのうちの１つにマッピングされる。所与のＨＳ−ＳＣＣＨが、異なるＴＴＩにおいて異なるデータストリームに関するシグナリングメッセージを搬送することができる。例えば、ＨＳ−ＳＣＣＨ  ＃３が、ＴＴＩ  ｍ＋１において第２のデータストリームに関するシグナリングメッセージを搬送し、ＴＴＩ  ｍ＋５において第１のデータストリームに関するシグナリングメッセージを搬送する。
【００５９】
概して、ＨＳ−ＳＣＣＨのチャネルＩＤ（または、符号インデックス）が、ＭＩＭＯもしくは非ＭＩＭＯ動作における１つのデータストリームに関する任意の種類のシグナリング情報、またはＭＩＭＯ動作における複数のデータストリームに関する任意の種類のシグナリング情報を搬送するために使用されることができる。例えば、チャネルＩＤは、１つまたは複数のデータストリームに関する、表２または３において示されたシグナリングパラメータのうちのいずれかの全てまたは一部を搬送するために使用されることができる。チャネルＩＤによって搬送されることができる情報ビットの数は、シグナリング情報を送信するために利用可能なＨＳ−ＳＣＣＨの数によって決まる。例えば、４つのＨＳ−ＳＣＣＨが利用可能である場合、２ビットのシグナリング情報が搬送されることができる。これら２ビットは、以下で説明されるように１つまたは複数のデータストリームに関する様々な種類のシグナリング情報のために使用されることができる。
【００６０】
ＨＳ−ＳＣＣＨのチャネルＩＤは、ＨＳ−ＰＤＳＣＨに関するチャネル化符号の情報を搬送するために使用されることができる。１２０個のあり得るチャネル化符号のセットは、各チャネル化符号のセットが少なくとも１つのグループに入れられるように複数の互いに素なグループまたは部分的に重なり合うグループに分割されることができる。各グループは、異なるチャネルＩＤまたはＨＳ−ＳＣＣＨに関連付けられることができる。そのとき、チャネル化符号のセットは、グループのうちの１つから選択され、関連するＨＳ−ＳＣＣＨ上で送信されることができる。例えば、１２０個のあり得るチャネル化符号のセットは、各グループが約３０個のチャネル化符号のセットを含むようにして４つのグループに分割されることができる。そのとき、選択されたチャネル化符号のセットが、（ａ）選択されたチャネル化符号のセットを含むグループに関連するチャネルＩＤと、（ｂ）グループ内のこのチャネル化符号のセットに関する５ビットのインデックスとによって搬送されることができる。５ビットのインデックスは当該ＨＳ−ＳＣＣＨ上で送信されることができる。
【００６１】
ＨＳＤＰＡにおいて、チャネル化符号のセットは、ＯＶＳＦ符号ツリー内の１つまたは複数の連続するチャネル化符号を含み、開始チャネル化符号に関する符号インデックスおよびセット内のチャネル化符号の数によって搬送される。開始チャネル化符号インデックスｘに対して１５−ｘ個のあり得るチャネル化符号のセットが存在する。１つまたは複数の開始チャネル化符号インデックスが、各チャネルＩＤまたはＨＳ−ＳＣＣＨに関連付けられることができる。そのとき、選択されたチャネル化符号のセットが、（ａ）選択されたチャネル化符号のセットに関する開始チャネル化符号に関連するチャネルＩＤと、（ｂ）ＨＳ−ＳＣＣＨ上で送信されることができる、チャネル化符号の数とによって搬送されることができる。チャネルＩＤは、ＯＶＳＦ符号ツリー内のチャネル化符号を数える方向、例えば、０から１５に向かう方向、または１５から０に降りる方向を搬送するために使用されることもできる。
【００６２】
チャネルＩＤは、変調情報を搬送するために使用されることもできる。異なるチャネルＩＤが、異なる変調スキーム、例えば、ＱＰＳＫ、１６−ＱＡＭなどに関連付けられることができる。そのとき、選択された変調スキームが、関連するチャネルＩＤによって搬送されることができる。
【００６３】
チャネルＩＤは、転送ブロックサイズ情報を搬送するために使用されることもできる。全てのあり得る転送ブロックサイズが、各転送ブロックサイズが少なくとも１つのグループに入れられるように複数の互いに素なグループまたは部分的に重なり合うグループに分割されることができる。各グループは、ＨＳ−ＳＣＣＨの異なるチャネルＩＤに関連付けられることができる。そのとき、選択された転送ブロックサイズが、（ａ）選択された転送ブロックサイズを含むグループに関連するチャネルＩＤと、（ｂ）ＨＳ−ＳＣＣＨ上で送信されることができる、グループ内の選択された転送ブロックサイズに関するインデックスとによって搬送されることができる。
【００６４】
チャネルＩＤは、ＨＡＲＱプロセスＩＤ情報を搬送するために使用されることもできる。全てのあり得るＨＡＱＲプロセスＩＤが、各ＨＡＲＱプロセスＩＤが少なくとも１つのグループに入れられるように複数の互いに素なグループまたは部分的に重なり合うグループに分割されることができる。各ＨＡＲＱプロセスＩＤグループは、異なるチャネルＩＤに関連付けられることができる。そのとき、所与のＨＡＲＱプロセスが、（ａ）選択されたＨＡＲＱプロセスＩＤを含むＨＡＲＱプロセスＩＤグループに関連するチャネルＩＤと、（ｂ）ＨＳ−ＳＣＣＨ上で送信されることができる、グループ内の選択されたＨＡＲＱプロセスＩＤに関するインデックスとによって搬送されることができる。例えば、チャネルＩＤ  ＃１が第１のＨＡＲＱプロセスＩＤを搬送すること、チャネルＩＤ  ＃２が第２のＨＡＲＱプロセスＩＤを搬送することなどができる。
【００６５】
１であるグループのサイズが、チャネル化符号のセット、転送ブロックサイズ、ＨＡＲＱプロセスＩＤなどに対して使用されることができる。サイズが１であるグループがチャネルＩＤにマッピングされることができる。グループは、関連するチャネルＩＤによって搬送されることができ、グループ内のインデックスはＨＳ−ＳＣＣＨ上で送信される必要がない。
【００６６】
チャネルＩＤは、新データインジケータおよび／または冗長性バージョンの情報を搬送するために使用されることもできる。冗長性バージョンの所定の系列（例えば、Ｖａ、Ｖｂ、Ｖｃ、Ｖｄなど）が（例えば、呼設定において）規定されることができる。転送ブロックの異なる伝送が、異なるチャネルＩＤに関連付けられることができる。例えば、チャネルＩＤ  ＃１が転送ブロックに関する第１の伝送（Ｖａ）を搬送すること、チャネルＩＤ  ＃２が転送ブロックに関する第２の伝送（Ｖｂ）を搬送することなどができる。新データインジケータは、チャネルＩＤ  ＃１でシグナリング情報を送信することによって搬送される。
【００６７】
ＭＩＭＯに関して、ＨＳ−ＳＣＣＨのチャネルＩＤは、複数のデータストリームのためのＨＳ−ＰＤＳＣＨに関するチャネル化符号の情報を搬送するために使用されることができる。１２０個のあり得るチャネル化符号のセットが、複数の互いに素なグループまたは部分的に重なり合うグループに分割されることができる。グループの異なる組合せが、各組合せが各データストリームに対して１つのグループを含むようにして複数のデータストリームに対して規定されることができる。グループの各組合せは、ＨＳ−ＳＣＣＨの異なるチャネルＩＤに関連付けられることができる。１つの設計において、１２０個のあり得るチャネル化符号のセットは、各グループが約６０個のチャネル化符号のセットを含むようにして２つのグループ＃１および＃２に分割されることができる。２つのデータストリームに関して、それら２つがそれぞれ送信されるデータストリームであるように、組合せ＃１はグループ＃１およびグループ＃１を含むことができ、組合せ＃２はグループ＃１およびグループ＃２を含むことができ、組合せ＃３はグループ＃２およびグループ＃１を含むことができ、組合せ＃４はグループ＃２およびグループ＃２を含むことができる。組合せ中の第１のグループは第１のデータストリームに関するチャネル化符号のセットを含むことができ、第２のグループは第２のデータストリームに関するチャネル化符号のセットを含むことができる。例えば、組合せ＃３は、第１のデータストリームに関するチャネル化符号のセットがグループ＃２内にあり、第２のデータストリームに関するチャネル化符号のセットがグループ＃１内にある場合に選択されることができる。
【００６８】
別の設計において、開始チャネル化符号インデックスの異なる組合せが、複数のデータストリームに対して規定されることができる。例えば、組合せ＃１は符号インデックス０および８を含むことができ、組合せ＃２は符号インデックス２および６を含むことができ、組合せ＃３は符号インデックス４および７を含むことができ、組合せ＃４は符号インデックス６および１０を含むことができる。組合せ＃２は、第１のデータストリームが開始チャネル化符号インデックス２を有し、第２のデータストリームが開始チャネル化符号インデックス６を有する場合に選択されることができる。さらに別の設計において、複数のデータストリームが同じ開始チャネル化符号インデックスを有するが、異なる数のチャネル化符号を有することができる。この場合、複数のデータストリームに関する（開始チャネル化符号インデックスの異なる組合せではなく）異なる開始チャネル化符号インデックスが、異なるチャネルＩＤに関連付けられることができる。さらに別の設計において、複数のデータストリームが同じチャネル化符号のセットを有する。そのとき、１つのデータストリームに関するチャネル化符号の情報を搬送することに関する説明が、複数のデータストリームに適用可能である可能性がある。
【００６９】
チャネルＩＤは、複数のデータストリームに関する変調情報を搬送するために使用されることもできる。異なるチャネルＩＤが、複数のデータストリームに関する変調スキームの異なる組合せに関連付けられることができる。組合せは、各データストリームに関する変調スキームが、前のデータストリームに関する変調スキームの順位と同じかまたはより小さい順位を有するように規定されることができる。２つのデータストリームに関する例として、組合せ＃１は１６−ＱＡＭおよび１６−ＱＡＭを含むことができ、組合せ＃２は１６−ＱＡＭおよびＱＰＳＫを含むことができ、組合せ＃３はＱＰＳＫおよびＱＰＳＫを含むことができる。組合せ＃２は、１６−ＱＡＭが第１のデータストリームに対して使用され、ＱＰＳＫが第２のデータストリームに対して使用される場合に選択されることができる。さらなる組合せが、より大きな順位の変調スキームがサポートされる場合に、および／または３つ以上のデータストリームが送信される場合に規定されることができる。変調スキームの選択された組合せが、関連するチャネルＩＤによって搬送されることができる。
【００７０】
チャネルＩＤは、複数のデータストリームに関する転送ブロックサイズ情報を搬送するために使用されることもできる。全てのあり得る転送ブロックサイズが、複数の互いに素なグループまたは部分的に重なり合うグループに分割されることができる。グループの異なる組合せが、各組合せが各データストリームに対して１つのグループを含むようにして複数のデータストリームに対して規定されることができる。グループの各組合せは、ＨＳ−ＳＣＣＨの異なるチャネルＩＤに関連付けられることができる。例えば、あり得る転送ブロックサイズが、各グループがあり得る転送ブロックサイズの約半分を含むようにして２つのグループ＃１および＃２に分割されることができる。２つのデータストリームに関して、組合せ＃１はグループ＃１およびグループ＃１を含むことができ、組合せ＃２はグループ＃１およびグループ＃２を含むことができ、組合せ＃３はグループ＃２およびグループ＃１を含むことができ、組合せ＃４はグループ＃２およびグループ＃２を含むことができる。組合せ中の第１のグループは第１のデータストリームに関する転送ブロックサイズを含むことができ、第２のグループは第２のデータストリームに関する転送ブロックサイズを含むことができる。
【００７１】
チャネルＩＤは、複数のデータストリームに関するＨＡＲＱプロセスＩＤ、新データインジケータ、および／または冗長性バージョンの情報を搬送するために使用されることもできる。異なる組合せが、これらの情報のいずれかに対して規定されることができ、異なるチャネルＩＤに関連付けられることができる。
【００７２】
チャネルＩＤは、１つまたは複数のデータストリームを送信するために使用される送信アンテナに関する情報を搬送するために使用されることもできる。ＵＥは、Ｔ個の送信アンテナのそれぞれのＳＩＮＲを推定し、ＵＥへの伝送のための１つまたは複数の送信アンテナを選択することができる。ノードＢは、ＵＥからアンテナの選択を受信することができ、１つまたは複数の送信アンテナの最終的な選択を行うことができる。異なる送信アンテナ、または送信アンテナの異なる組合せが、異なるチャネルＩＤに関連付けられることができる。ノードＢによって伝送のために使用される（１つまたは複数の）送信アンテナが、関連するチャネルＩＤによって搬送されることができる。
【００７３】
チャネルＩＤは、１つまたは複数のデータストリームを送信するために使用されるプリコーディング重み行列またはベクトルに関する情報を搬送するために使用されることもできる。ＣＬＴＤに関して、４つのプリコーディング重みベクトルが４つのチャネルＩＤに関連付けられることができる。そのとき、選択されたプリコーディング重みベクトルが、関連するチャネルＩＤによって搬送されることができる。Ｄ−ＴＸＡＡに関して、２つのプリコーディング重み行列が、２つのチャネルＩＤ、またはチャネルＩＤの２つの対に関連付けられることができる。そのとき、選択されたプリコーディング重み行列が、関連するチャネルＩＤによって搬送されることができる。その他の空間マッピングスキームのためのプリコーディング重み行列またはベクトルがチャネルＩＤに関連付けられ、チャネルＩＤによって搬送されることもできる。
【００７４】
チャネルＩＤは、データ受信に使用する受信アンテナに関する情報を搬送するために使用されることもできる。受信アンテナの異なる組合せが、異なるチャネルＩＤに関連付けられることができる。データ受信に使用する受信アンテナの組合せが、関連するチャネルＩＤによって搬送されることができる。２つの受信アンテナに関する例として、組合せ＃１が両方の受信アンテナの使用を示すこと、組合せ＃２がプライマリ受信アンテナの使用を示すことなどができる。
【００７５】
チャネルＩＤは、ＵＥに関するスケジューリング情報を搬送するために使用されることもできる。例えば、チャネル＃１が、連続する動作を示すこと、チャネル＃２が、ＵＥが第１の所定の量の時間（例えば、１００ｍｓ）の間スケジューリングされないことを示すこと、チャネルＩＤ＃３が、ＵＥが第２の所定の量の時間（例えば、５０ｍｓ）の間スケジューリングされないことを示すことなどができる。ＵＥは、スケジューリング情報を使用して、そのＵＥがスケジューリングされない時間中、スリープ状態になることができる。
【００７６】
概して、ＨＳ−ＳＣＣＨのチャネルＩＤは、任意のシグナリング情報を搬送するために使用されることができる。各チャネルＩＤは、特定のシグナリング情報、シグナリングパラメータの特定の解釈などに関連付けられることができる。チャネルＩＤまたはチャネルＩＤに関連する情報の解釈は、仕様によって事前に規定されることができるか、または呼の開始時に（例えば、呼の設定中に）、および／もしくは呼中に決定されることができ、より上位のレイヤのシグナリングメッセージ（例えば、ＵＭＴＳの無線リソース制御（Radio Resource Control）（ＲＲＣ）メッセージ）を介してノードＢとＵＥとの間で交換されることができる。解釈は、ＭＩＭＯまたは非ＭＩＭＯ動作が使用されているかどうか、ＵＥへのデータ伝送の特徴などによって決まることができる。解釈は、解釈の変更を達成するためのより上位のレイヤのシグナリングメッセージの過度の交換を避けるために比較的静的であるべきであるか、または徐々に変化するべきである。チャネルＩＤのデフォルトの解釈がＵＥにおいて提供され、その解釈が変更されるまで使用されることもできる。
【００７７】
明確にするために、本技術が、ＵＭＴＳのＨＳＤＰＡに関して具体的に説明された。ＨＳＤＰＡにおいて、複数のシグナリングチャネル（または、ＨＳ−ＳＣＣＨ）は、複数のチャネル化符号を用いて規定され、シグナリング情報を送信するために使用される。本技術は、複数のシグナリングチャネルがその他のシステムリソースを用いて規定されるその他の通信システムに対して使用されることもできる。例えば、複数のシグナリングチャネルが、（ａ）ＴＤＭＡを使用するシステムにおける異なるタイムスロット、（ｂ）ＦＤＭＡ、直交周波数分割多元接続（ＯＦＤＭＡ）、またはシングルキャリア周波数分割多元接続（ＳＣ−ＦＤＭＡ）を使用するシステムにおけるサブキャリアの異なる集合、（ｃ）異なるシンボル期間におけるサブキャリアの異なる集合などによって規定されることができる。本技術は、ダウンリンクおよびアップリンク上でシグナリング情報を送信するためにやはり使用されることができる。
【００７８】
図８は、シグナリングおよびデータを送信するためのプロセス８００を示す。プロセス８００は、（以下で説明されるように）ダウンリンク伝送のためにノードＢによって実行されることができるか、または（以下で説明されない）アップリンク伝送のためにＵＥによって実行されることができる。
【００７９】
ノードＢは、異なるシグナリング情報、異なるシグナリングパラメータ値、またはシグナリングパラメータ値の異なる解釈を複数のシグナリングチャネルに関連付けるためにＵＥと通信することができる（ブロック８１２）。ノードＢは、第１のシグナリング情報に基づいて複数のシグナリングチャネルの中から少なくとも１つのシグナリングチャネルを選択することができる（ブロック８１４）。ノードＢは、少なくとも１つの選択されたシグナリングチャネル上で第２のシグナリング情報を送信して第１のおよび第２のシグナリング情報を搬送することができる（ブロック８１６）。ノードＢは、第１のおよび第２のシグナリング情報に従って少なくとも１つのデータチャネル上で少なくとも１つのデータストリームを送信することができる（ブロック８１８）。
【００８０】
ブロック８１４および８１６に関して、ノードＢは、複数のシグナリングチャネルの中から少なくとも２つのシグナリングチャネルを選択し、少なくとも２つのシグナリングチャネル上で少なくとも２つのデータストリームに関する少なくとも２つのシグナリングメッセージを送信することができる。ノードＢは、例えば、図７に示されたように、複数のシグナリングチャネルの中から少なくとも２つのシグナリングチャネルを選択し、少なくとも２つのデータストリームに関する少なくとも２つのシグナリングメッセージを少なくとも２つのシグナリングチャネルにマッピングし、少なくとも２つのシグナリングチャネル上で少なくとも２つのシグナリングメッセージを送信することもできる。どちらの場合も、第１のシグナリング情報は、どのシグナリングメッセージが各データストリームに適用可能であるのかを搬送することができる。第１のシグナリング情報は、シグナリングチャネルとデータストリームとの間の所定のマッピングに基づくことができ、例えば、ｎ番目の（利用可能なまたは選択された）シグナリングチャネルが、ｎ番目のデータストリームに関するシグナリング情報を搬送することができる。
【００８１】
また、第１のシグナリング情報は、様々な種類の情報を搬送することができる。第１のシグナリング情報は、データ伝送のために使用される少なくとも１つのチャネル化符号に関する情報を備えることができる。例えば、複数のシグナリングチャネルが、チャネル化符号の各グループに対して１つのシグナリングチャネルずつチャネル化符号の複数のグループに関連付けられることができる。そのとき、シグナリングチャネルは、データ伝送のために使用される少なくとも１つのチャネル化符号を含むグループに基づいて選択されることができる。第１のシグナリング情報は、データ伝送のために使用される少なくとも１つの変調スキームに関する情報を備えることもできる。例えば、複数のシグナリングチャネルが、変調スキームの各組合せに対して１つのシグナリングチャネルずつ複数のデータストリームに関する変調スキームの複数の組合せに関連付けられることができる。第１のシグナリング情報は、データ伝送のために使用される少なくとも１つの転送ブロックサイズに関する情報、データ伝送のために使用されるプリコーディング重みに関する情報、データ伝送のために使用される少なくとも１つの送信アンテナに関する情報、データ受信のために使用する少なくとも１つの受信アンテナに関する情報、ＨＡＲＱ情報（例えば、新データインジケータおよび／または冗長性バージョン）、スケジューリング情報などを備えることもできる。第１のシグナリング情報は、１つのデータストリームまたは複数のデータストリームに関する可能性がある。第２のシグナリング情報は、表２もしくは３の情報のいずれかおよび／またはその他のシグナリング情報を備えることができる。
【００８２】
ブロック８１４における少なくとも１つのシグナリングチャネルの選択は、送信されているシグナリング情報に基づくこともできる。１つの設計において、少なくとも１つのシグナリングチャネルが、第３のシグナリング情報によって有効化されるときに第１のシグナリング情報に基づいて選択されることができ、第２のおよび第３のシグナリング情報が（１つまたは複数の）選択されたシグナリングチャネル上で送信されて、第１の、第２の、および第３のシグナリング情報を搬送することができる。少なくとも１つのシグナリングチャネルが、第３のシグナリング情報が値の集合の中にあるときには第１のシグナリング情報に基づいて選択されることができ、第３のシグナリング情報が値の集合の中にないときには第１のシグナリング情報に関係なく選択されることができる。例えば、第２のシグナリング情報はチャネル化符号のセットに関する可能性があり、第３のシグナリング情報は変調スキームに関する可能性がある。少なくとも１つのシグナリングチャネルは、ＱＰＳＫよりも高度な変調スキームが使用される場合はチャネル化符号のセットに基づいて選択されることができ、ＱＰＳＫが使用される場合はチャネル化符号のセットに関係なく選択されることができる。
【００８３】
複数のシグナリングチャネルは、シグナリング情報を送信するために使用される複数のチャネル化符号、複数のタイムスロット、サブキャリアの複数の集合、または複数の電力設定／レベルに対応する可能性がある。例えば、複数のシグナリングチャネルは、ＵＭＴＳのＨＳＤＰＡのために使用されるＨＳ−ＳＣＣＨに対応する可能性がある。別の例として、２０ｄＢｍの電力レベルが、１つのシグナリングチャネル、および送信シグナリング情報の１つの解釈に対応すること、３０ｄＢｍの電力レベルが、別のシグナリングチャネル、および送信シグナリング情報の別の解釈に対応することなどができる。
【００８４】
図９は、シグナリングおよびデータを受信するためのプロセス９００を示す。プロセス９００は、（以下で説明されるように）ダウンリンク伝送のためにＵＥによって実行されることができるか、または（以下で説明されない）アップリンク伝送のためにノードＢによって実行されることができる。
【００８５】
ＵＥは、異なるシグナリング情報、または異なるシグナリングパラメータ値、または異なるシグナリングパラメータの解釈を複数のシグナリングチャネルに関連付けるためにノードＢと通信することができる（ブロック９１２）。ＵＥは、所与のＴＴＩにおいて複数のシグナリングチャネルの中から少なくとも１つのシグナリングチャネルを受信することができる（ブロック９１４）。ＵＥは、少なくとも１つのシグナリングチャネルに基づいて第１のシグナリング情報を取得することができる（ブロック９１６）。第１の情報は、上述の情報のうちのいずれかであってよい。ＵＥは、少なくとも１つのシグナリングチャネルを復号化して、少なくとも１つのシグナリングチャネル上で送信された第２のシグナリング情報を取得することができる（ブロック９１８）。次に、ＵＥは、第１のおよび第２のシグナリング情報に従って少なくとも１つのデータチャネルを処理して、少なくとも１つのデータストリームを復元することができる（ブロック９２０）。
【００８６】
当業者は、情報および信号が様々な異なるテクノロジおよび技術のうちのいずれかを使用して表されることができることを理解するであろう。例えば、上の説明を通して参照されることができるデータ、命令、コマンド、情報、信号、ビット、シンボル、およびチップは、電圧、電流、電磁波、磁界もしくは磁気的粒子、光場もしくは光学的粒子、またはそれらの任意の組合せで表されることができる。
【００８７】
さらに、当業者は、本明細書の開示に関連して説明された種々の例示的な論理ブロック、モジュール、回路、およびアルゴリズムのステップが、電子的なハードウェア、コンピュータソフトウェア、またはそれら両方の組合せとして実装されることができることを理解するであろう。ハードウェアとソフトウェアとのこの互換性を明確に示すために、種々の例示的なコンポーネント、ブロック、モジュール、回路、およびステップが、概してそれらの機能の観点で上で説明された。そのような機能がハードウェアとして実装されるか、それともソフトウェアとして実装されるかは、システム全体に課された特定の用途および設計の制約によって決まる。当業者は、説明された機能をそれぞれの特定の用途のために様々なやり方で実装することができるが、そのような実装の判断は本開示の範囲からの逸脱をもたらすものと解釈されてはならない。
【００８８】
本明細書の開示に関連して説明された様々な例示的な論理ブロック、モジュール、および回路は、汎用プロセッサ、ディジタル信号プロセッサ（ＤＳＰ）、特定用途向け集積回路（ＡＳＩＣ）、フィールドプログラマブルゲートアレイ（ＦＰＧＡ）もしくはその他のプログラマブルロジックデバイス、離散的なゲートもしくはトランジスタ論理、離散的なハードウェアコンポーネント、または本明細書において説明された機能を実行するように設計されたそれらの任意の組合せを用いて実装または実行されることができる。汎用プロセッサはマイクロプロセッサであってよいが、別法として、プロセッサは、任意の従来のプロセッサ、コントローラ、マイクロコントローラ、または状態機械であってよい。プロセッサは、コンピューティングデバイスの組合せ、例えばＤＳＰとマイクロプロセッサとの組合せ、複数のマイクロプロセッサ、ＤＳＰコアと連携する１つまたは複数のマイクロプロセッサ、または任意のその他のそのような構成として実装されてもよい。
【００８９】
本明細書の開示に関連して説明された方法またはアルゴリズムのステップは、直接ハードウェアで、プロセッサによって実行されるソフトウェアモジュールで、またはこれら２つの組合せで具現化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意のその他の形態の記憶媒体に存在することができる。例示的な記憶媒体は、プロセッサが当該記憶媒体から情報を読むことができ、当該記憶媒体に情報を書き込むことができるようにプロセッサに結合される。別法として、記憶媒体はプロセッサに一体化されていてよい。プロセッサおよび記憶媒体はＡＳＩＣ内に存在してよい。ＡＳＩＣはユーザ端末内に存在してよい。別法として、プロセッサおよび記憶媒体はユーザ端末内の別個のコンポーネントとして存在してよい。
【００９０】
本開示の上記の説明は、当業者が本開示を作製するまたは使用することを可能にするために提供される。本開示に対する種々の修正が当業者には容易に明らかとなり、本明細書で定義された包括的な原理は、本開示の精神または範囲を逸脱することなくその他の変更形態に適用されることができる。したがって、本開示は、本明細書において説明された例に限定されるように意図されておらず、本明細書において開示された原理および新規性のある特徴に合致する最も広い範囲を与えられるべきである。
【図面の簡単な説明】
【００９１】
【図１】無線通信システムを示す図。
【図２】ノードＢおよびユーザ端末（ＵＥ）のブロック図。
【図３】ＭＩＭＯのためのノードＢおよびＵＥのブロック図。
【図４】高速ダウンリンクパケットアクセス（ＨＳＤＰＡ）に関する伝送を示す図。
【図５】図２のノードＢの送信（ＴＸ）データプロセッサ、ＴＸシグナリングプロセッサ、およびコンバイナのブロック図。
【図６】図３のノードＢのＴＸデータおよび空間プロセッサ、ＴＸシグナリングプロセッサ、およびコンバイナのブロック図。
【図７】４つのシグナリングチャネル上のシグナリングメッセージの伝送を示す図。
【図８】シグナリングおよびデータを送信するためのプロセスを示す図。
【図９】シグナリングおよびデータを受信するためのプロセスを示す図。
【図１】
2009528000.tif 000008
【図２】
2009528000.tif 000009
【図３】
2009528000.tif 000010
【図４】
2009528000.tif 000011
【図５】
2009528000.tif 000012
【図６】
2009528000.tif 000013
【図７】
2009528000.tif 000014
【図８】
2009528000.tif 000015
【図９】
2009528000.tif 000016
【国際調査報告】
2009528000.tif 000017
2009528000.tif 000018